(57)【要約】      （修正有）【課題】アクセサリの各部分を動かすことができる鞄装飾用アクセサリを提供する。【解決手段】第一部材２、第二部材３、および、嵌入部材から構成される。第一部材２は、一方の表面に第一部材第一表面部を有し、他方の表面に第一部材第二表面部を有し、側面に第一部材側面部を有する。第二部材は、一方の表面に第二部材第一表面部を有し、他方の表面に第二部材第二表面部を有し、側面に第二部材側面部を有する。第一部材第一表面部、第一部材第二表面部、第二部材第一表面部、および、第二部材第二表面部には、開口部ｏｄが設けられている。第一孔部が、第一部材第一表面部の開口部ｏｄから第一部材第二表面部の開口部０ｄに向けて形成されている。第二孔部が、第二部材第一表面部の開口部ｏｄから第二部材第二表面部の開口部０ｄに向けて形成されている。【選択図】図１
2019072525.tif 000002
【特許請求の範囲】
【請求項１】
一方の表面に第一部材第一表面部を有し、他方の表面に第一部材第二表面部を有し、側面に第一部材側面部を有する第一部材と、
一方の表面に第二部材第一表面部を有し、他方の表面に第二部材第二表面部を有し、側面に第二部材側面部を有する第二部材と、
嵌入部材と、
を備え、
前記第一部材第一表面部、前記第一部材第二表面部、前記第二部材第一表面部、および、前記第二部材第二表面部には、開口部が設けられており、
第一孔部が、前記第一部材第一表面部の開口部から前記第一部材第二表面部の開口部に向けて形成されており、
第二孔部が、前記第二部材第一表面部の開口部から前記第二部材第二表面部の開口部に向けて形成されており、
前記第一部材第二表面部と前記第二部材第一表面部は、向かい合うように配置されており、
前記嵌入部材は、前記第一部材、および、前記第二部材が回転可能なように、前記第一孔部、および、前記第二孔部に嵌入していることを特徴とする鞄装飾用アクセサリ。
【請求項２】
前記第一部材第一表面部の前記開口部の重心と前記第一部材第二表面部の前記開口部の重心を結んだ直線である第一孔部重心線は、前記第一部材の重心線である第一重心線と交差しており、
前記第二部材第一表面部の前記開口部の重心と前記第二部材第二表面部の前記開口部の重心を結んだ直線である第二孔部重心線は、前記第二部材の重心線である第二重心線と交差していることを特徴とする請求項１に記載に鞄装飾用アクセサリ。
【請求項３】
前記第一部材第一表面部の前記開口部の重心と前記第一部材第二表面部の前記開口部の重心を結んだ直線である第一孔部重心線は、前記第一部材の重心線である第一重心線とは交差してはおらず、
前記第二部材第一表面部の前記開口部の重心と前記第二部材第二表面部の前記開口部の重心を結んだ直線である第二孔部重心線は、前記第二部材の重心線である第二重心線とは交差してはいないことを特徴とする請求項１に記載に鞄装飾用アクセサリ。
【請求項４】
前記第一孔部重心線は、前記第一重心線と交差している際には、前記第二孔部重心線は、前記第二重心線とは交差してはおらず、
前記第一孔部重心線は、前記第一重心線とは交差していない際には、前記第二孔部重心線は、前記第二重心線と交差していることを特徴とする請求項１に記載に鞄装飾用アクセサリ。
【発明の詳細な説明】
【技術分野】
【０００１】
本発明は、鞄装飾用アクセサリに関する。
【背景技術】
【０００２】
鞄装飾用アクセサリは、鞄の金具など、鞄の一部に吊り下げて、鞄を装飾する。
鞄には、ハンドバック、リュック、旅行用鞄などがある。
鞄装飾用アクセサリには、動物やキャラクターの体の全体、あるいは、一部の形状を有する鞄装飾用アクセサリが多い。
【０００３】
鞄装飾用アクセサリを鞄に吊り下げて、鞄を動かすと鞄装飾用アクセサリも動く。
鞄装飾用アクセサリの需用者は、鞄に吊り下げて、鞄を動かした際には、おもしろい動きをする鞄装飾用アクセサリを求める傾向がある、
【０００４】
鞄を装飾することができるアクセサリには、実登3218594に示すアクセサリがある。
【０００５】
特許文献１に示すアクセサリは、キャラクターの体の全体の形状を有する板材は動かないので、特許文献１に示すアクセサリを鞄に吊り下げて、鞄を動かすことによって、動かしてもおもしろさが少ない。
【０００６】
【特許文献１】実登3218594
【０００７】
本発明は、鞄に取り付けた際に、アクセサリの各部分を動かすことができる鞄装飾用アクセサリを提供することを目的とする。
【発明の概要】
【課題を解決するための手段】
【０００８】
上記課題を解決するために、本発明の鞄装飾用アクセサリは、第一部材、第二部材、および、嵌入部材から構成される。
第一部材、および、第二部材は、動物の皮、合成皮革、プラスチック、シリコン、セラミック、あるいは、金属などのうちの少なくともいずれか一つを材料にして形成されている。
嵌入部材は、金属、プラスチックなどのうちの少なくともいずれか一つを材料にして形成されている。
金属には、鉄、アルミニウムなどがある。
【０００９】
第一部材は、一方の表面に第一部材第一表面部を有し、他方の表面に第一部材第二表面部を有し、側面に第一部材側面部を有する。
第二部材は、一方の表面に第二部材第一表面部を有し、他方の表面に第二部材第二表面部を有し、側面に第二部材側面部を有する。
【００１０】
第一部材第一表面部、第一部材第二表面部、第二部材第一表面部、および、第二部材第二表面部には、開口部が設けられている。
第一孔部が、第一部材第一表面部の開口部から第一部材第二表面部の開口部に向けて形成されている。
第二孔部が、第二部材第一表面部の開口部から第二部材第二表面部の開口部に向けて形成されている。
【００１１】
第一部材第二表面部と第二部材第一表面部は、向かい合うように配置されている。
嵌入部材は、第一部材、および、第二部材が回転可能なように、第一孔部、および、第二孔部に嵌入している。
【００１２】
本発明の鞄装飾用アクセサリは、動物やキャラクターの体の全体、または、一部分の形状を有する鞄装飾用アクセサリであり、第一部材、および、第二部材は、それぞれが、動物やキャラクターの体の全体、または、一部分のうちの一部分の形状を有する部材に該当する。
嵌入部材は、第一部材、および、第二部材が回転可能なように、第一孔部、および、第二孔部に嵌入しているので、嵌入部材は、第一部材、および、第二部材の回転軸になる。
このため、本発明の鞄装飾用アクセサリを鞄に吊り下げて、鞄を動かすと、嵌入部材は、第一部材、および、第二部材が回転可能なように、第一孔部、および、第二孔部に嵌入しているので、第一部材、および、第二部材は、嵌入部材を回転軸にして、それぞれが動くことによって、動物やキャラクターの体の全体、または、一部分のうちの一部分がそれぞれ動いているように見せることができる。
【００１３】
これによって、本発明の鞄装飾用アクセサリは、鞄に吊り下げて、鞄を動かした際には、特許文献１に示すアクセサリのように、体のそれぞれの部分には分離しない動物やキャラクターか描かれている板材を有するアクセサリを鞄に吊り下げて、鞄を動かした際よりも、よりおもしろい動きをさせることができる。
【００１４】
本発明の鞄装飾用アクセサリは、鞄に吊り下げて鞄を装飾することを主な目的にしているが、これには限られず、携帯電話、スマートフォンなどに吊り下げて、携帯電話、スマートフォンなどを装飾することもできる。
【００１５】
本発明の鞄装飾用アクセサリには、他の実施態様がある。
本発明の鞄装飾用アクセサリの変形例には、同一の種類の物品の形状を有する部材を複数組み合わせた鞄装飾用アクセサリ、あるいは、異なる種類の物品の形状を有する部材を複数組み合わせた鞄装飾用アクセサリがある。
【００１６】
同一の種類の物品の形状を有する部材を複数組み合わせた鞄装飾用アクセサリには、第一部材、および、第二部材の両方が、例えば、ハイヒールの形状を有しているように、第一部材と第二部材は、それぞれ、同じ種類の物品の形状を有している鞄装飾用アクセサリがある。
異なる種類の物品の形状を有する部材を複数組み合わせた鞄装飾用アクセサリには、例えば、第一部材がハイヒールの形状を有しており、第二部材がハンドバッグの形状を有しているように、第一部材と第二部材は、それぞれ、異なる種類の物品の形状を有している鞄装飾用アクセサリがある。
【発明の効果】
【００１７】
本発明の鞄装飾用アクセサリを鞄などに吊り下げて、鞄を動かすと、第一部材、および、第二部材のそれぞれを動かすことができる。
【発明を実施するための最良の形態】
【００１８】
本発明の実施例を図面を用いて説明する。
なお、本発明の実施例は、以下に説明する実施例１、実施例２、および、実施例３に限定されるものではない。
【実施例１】
【００１９】
実施例１の鞄装飾用アクセサリ１は、図１(ａ)、および、(ｂ)、図２(ａ)から(ｄ)に示すように、第一部材２、第二部材３、および、嵌入部材４から構成される。
第一部材２、および、第二部材３は、動物の皮、合成皮革、プラスチック、シリコン、セラミック、あるいは、金属などのうちの少なくともいずれか一つを材料にして形成されている。
嵌入部材４は、金属、プラスチックなどのうちの少なくともいずれか一つを材料にして形成されている。
金属には、鉄、アルミニウムなどがある。
【００２０】
実施例１の鞄装飾用アクセサリ１は、動物やキャラクターの体の全体、または、一部の形状を有する鞄装飾用アクセサリであり、第一部材２、および、第二部材３は、それぞれが、動物やキャラクターの体の全体、または、一部のうちの一部の形状を有する部材に該当する。
図１(ａ)、および、(ｂ)、図２(ａ)から(ｄ) 、図３(ａ) から(ｆ)、図４(ａ) から(ｆ)に示す実施例１の鞄装飾用アクセサリ１は、犬の体の全体の形状を有しており、第一部材２は、犬の顔の形状を有しており、第二部材３は、犬の胴体の形状を有している。
ただし、実施例１の鞄装飾用アクセサリ１、第一部材２、および、第二部材３の形状は、図１(ａ)、および、(ｂ)、図２(ａ)から(ｄ) 、図３(ａ) から(ｆ)、図４(ａ) から(ｆ)に示すものには限られず、ありとあらゆる形状がある。
【００２１】
第一部材２は、図３(ａ) から(ｆ)に示すように、一方の表面に第一部材第一表面部２ａを有し、他方の表面に第一部材第二表面部２ｂを有し、側面に第一部材側面部２ｃを有する。
第一部材第一表面部２ａ、および、第一部材第二表面部２ｂには、図３(ａから(ｆ)に示すように、開口部ｏｄが設けられている。
第一部材第一表面部２ａ、および、第一部材第二表面部２ｂに設けられた開口部ｏｄは、図３(ａ) から(ｆ)に示すように、重心点ｃｇを有する。
重心点ｃｇは、開口部ｏｄの重心点である。
【００２２】
第一孔部ｈｄ１が、図３(ａ) から(ｆ)に示すように、第一部材第一表面部２ａの開口部ｏｄから第一部材第二表面部２ｂの開口部ｏｄに向けて形成されている。
第一孔部ｈｄ１は、図３(ａ) から(ｆ)に示すように、第一孔部重心線ｈｇｌ１を有する。
第一孔部重心線ｈｇｌ１は、図３(ａ) から(ｆ)に示すように、第一部材第一表面部２ａに設けられた開口部ｏｄの重心点ｃｇと第一部材第二表面部２ｂに設けられた開口部ｏｄの重心点ｃｇとを結ぶ直線である。
【００２３】
第一重心線ｇｌ１は、図１(ａ)、および、(ｂ)、図２(ａ)から(ｄ) 、図３(ａ) から(ｆ)に示すように、第一部材２の重心線である。
第一重心点ｇｌｐ１は、図２(ｃ)、および、(ｄ)、図３(ｅ)、および、(ｆ)に示すように、第一重心線ｇｌ１上の一点である。
【００２４】
図１(ａ)、および、(ｂ)、図３(ａ)、および、(ｂ)では、第一部材第一表面部２ａに設けられた開口部ｏｄの重心点ｃｇは、第一部材第一表面部２ａを正面方向から見た際には、第一重心線ｇｌ１上の位置に位置しており、第一部材第二表面部２ｂに設けられた開口部ｏｄの重心点ｃｇは、第一部材第二表面部２ｂを正面方向から見た際には、第一重心線ｇｌ１上の位置に位置している。
第一孔部重心線ｈｇｌ１は、第一部材２を上方向から見た際には、図２(ｃ)、および、(ｄ)、図３(ｅ)、および、(ｆ)に示すように、第一重心点ｇｌｐ１上の位置に位置している。
このため、第一孔部重心線ｈｇｌ１は、第一重心線ｇｌ１と交差している。
【００２５】
第一部材第一表面部２ａ、および、第一部材第二表面部２ｂに設けられた開口部ｏｄは、図３(ａ)から(ｆ)では、円形状であるが、第一部材第一表面部２ａ、および、第一部材第二表面部２ｂに設けられた開口部は、三角形状、四角形状のような多角形状のほか、星形などのありとあらゆる形状がある。
第一部材第一表面部２ａに設けられた開口部ｏｄと第一部材第二表面部２ｂに設けられた開口部ｏｄは、異なる形状であってもよい。
【００２６】
第二部材３は、図４(ａ)から(ｆ)に示すように、一方の表面に第二部材第一表面部３ａを有し、他方の表面に第二部材第二表面部３ｂを有し、側面に第二部材側面部３ｃを有する。
第二部材第一表面部３ａ、および、第二部材第二表面部３ｂには、図４(ａ)から(ｆ)に示すように、開口部ｏｄが設けられている。
第二部材第一表面部３ａ、および、第二部材第二表面部３ｂに設けられた開口部ｏｄは、図４(ａ) から(ｆ)に示すように、重心点ｃｇを有する。
【００２７】
第二孔部ｈｄ２が、図４(ａ)から(ｆ)に示すように、第二部材第一表面部３ａの開口部ｏｄから第二部材第二表面部３ｂの開口部ｏｄに向けて形成されている。
第二孔部ｈｄ２は、図４(ａ) から(ｆ)に示すように、第二孔部重心線ｈｇｌ２を有する。
第二孔部重心線ｈｇｌ２は、図４(ａ) から(ｆ)に示すように、第二部材第一表面部３ａに設けられた開口部ｏｄの重心点ｃｇと第二部材第二表面部３ｂに設けられた開口部ｏｄの重心点ｃｇとを結ぶ直線である。
【００２８】
第二重心線ｇｌ２は、図１(ａ)、および、(ｂ)、図２(ａ)から(ｄ) 、図４(ａ) から(ｆ)に示すように、第二部材３の重心線である。
第二重心点ｇｌｐ２は、図２(ｃ)、および、(ｄ)、図４(ｅ)、および、(ｆ)に示すように、第二重心線ｇｌ２上の一点である。
【００２９】
図１(ａ)、および、(ｂ)、図４(ａ)、および、(ｂ)では、第二部材第一表面部３ａに設けられた開口部ｏｄの重心点ｃｇは、第二部材第一表面部３ａを正面方向から見た際には、第二重心線ｇｌ２上の位置に位置しており、第二部材第二表面部３ｂに設けられた開口部ｏｄの重心点ｃｇは、第二部材第二表面部３ｂを正面方向から見た際には、第二重心線ｇｌ２上の位置に位置している。
第二孔部重心線ｈｇｌ２は、第二部材３を上方向から見た際には、図２(ｃ)、および、(ｄ)、図４(ｅ)、および、(ｆ)に示すように、第二重心点ｇｌｐ２上の位置に位置している。
このため、第二孔部重心線ｈｇｌ２は、第二重心線ｇｌ２と交差している。
【００３０】
第二部材第一表面部３ａ、および、第二部材第二表面部３ｂに設けられた開口部ｏｄは、図４(ａ)から(ｆ)では、円形状であるが、第二部材第一表面部３ａ、および、第二部材第二表面部３ｂに設けられた開口部は、三角形状、四角形状のような多角形状のほか、星形などのありとあらゆる形状がある。
第二部材第一表面部３ａに設けられた開口部ｏｄと第二部材第二表面部３ｂに設けられた開口部ｏｄは、異なる形状であってもよい。
【００３１】
第一部材２と第二部材３は、図１(ａ)、および、(ｂ)、図２(ａ)から(ｄ)に示すように、第一部材第二表面部２ｂと第二部材第一表面部３ａが向かい合うように配置されている。
嵌入部材４は、図１(ａ)、および、(ｂ)、図２(ａ)から(ｄ)に示すように、第一部材２、および、第二部材３が回転可能なように、第一孔部ｈｄ１、および、第二孔部ｈｄ２に嵌入している。
【００３２】
嵌入部材４は、図５(ａ)から(ｆ)に示すように、側面に嵌入部材側面部４ａを有し、嵌入部材側面部４ａの一部から嵌入部材４の内部に向けて、切り欠き部４ｂを有している。
【００３３】
嵌入部材４については、第一部材２、および、第二部材３に嵌入した後に、第一部材２、および、第二部材３が抜けないようにするために、図５(ｇ)に示すように、嵌入部材側面部４ａに向かい合うように力Ｆを加えて、図５(ｈ)に示すように、第一部材２、および、第二部材３が抜けないぐらいの大きさまで、切り欠き部４ｂを小さくする、あるいは、図５(ｉ)に示すように、切り欠き部４ｂを消滅させてもよい。
【００３４】
この他、嵌入部材４については、第一部材２、および、第二部材３に嵌入した後に、第一部材２、および、第二部材３が抜けないようにするために、図５(ｊ)に示すように、第一部材２、および、第二部材３に嵌入した後に、切り欠き部４ｂに硬化性物質ｍを流し込んで、切り欠き部４ｂの全部、または、一部を消滅させてもよい。
硬化性物質ｍとは、熱を加えるなどによって、一定時間は、液体状、あるいは、反液体状になっているが、時間の経過とともに硬化して固体になる物質である。
硬化性物質ｍには、溶けた金属、溶けたプラスチック、あるいは、接着剤などがある。
【００３５】
実施例１の鞄装飾用アクセサリ１の使用方法について説明する。
実施例１の鞄装飾用アクセサリ１は、図６(ａ)、および、(ｂ)に示すように、鞄５に吊り下げて使用する。
鞄５は、図６(ａ)、および、(ｂ)に示すように、バックル５ａを備えている。
【００３６】
実施例１の鞄装飾用アクセサリ１を鞄５に吊り下げる方法について説明する。
実施例１の鞄装飾用アクセサリ１は、図６(ａ)、および、(ｂ)に示すように、係合部材６を用いて、嵌入部材４をバックル５ａなどに係合させれば、鞄５に吊り下げられる。
ただし、実施例１の鞄装飾用アクセサリ１は、鞄５のどの部分に吊り下げてもいいので、係合部材６を用いて、嵌入部材４を係合させる鞄５の部分は、バックル５ａには限られない。
【００３７】
嵌入部材４は、図１(ａ)、および、(ｂ)、図２(ａ)から(ｄ)に示すように、第一部材２、および、第二部材３が回転可能なように、第一孔部２、および、第二孔部３に嵌入しているので、嵌入部材４は、第一部材２、および、第二部材３の回転軸になる。
このため、実施例１の鞄装飾用アクセサリ１は、係合部材６を用いて、嵌入部材４をバックル５ａなどに係合させることによって、鞄５に吊り下げて、鞄５を動かすと、図６(ｂ)に示すように、第一部材２、および、第二部材３は、嵌入部材４を回転軸にして、それぞれが動く。
【００３８】
これらより、実施例１の鞄装飾用アクセサリ１は、鞄５に吊り下げて、鞄５を動かした際には、体のそれぞれの部分には分離しない動物やキャラクターは描かれている板材を有するアクセサリを鞄５に吊り下げて、鞄５を動かした際よりも、よりおもしろい動きをさせることができる。
【００３９】
図６(ｂ)には、犬の全体の形状を有する実施例１の鞄装飾用アクセサリ１を鞄５に吊り下げて、鞄５を動かした際に、犬の顔の形状を有する第一部材２、および、犬の胴体の形状を有する第二部材３は、嵌入部材４を回転軸にして、それぞれが動くことによって、犬の顔と胴体がそれぞれ動いているように見える状態が示されている。
図６(ｂ)に示された状態から見ても、実施例１の鞄装飾用アクセサリ１を鞄５に吊り下げて、鞄５を動かした際には、体のそれぞれの部分には分離しない動物やキャラクターは描かれている板材を有するアクセサリを鞄５に吊り下げて、鞄５を動かして、体のそれぞれの部分には分離しない動物やキャラクターは描かれている板材を有するアクセサリを動かした際よりも、よりおもしろい動きをさせることができることが分かる。
【００４０】
鞄には、ハンドバック、リュック、旅行用鞄などがある。
実施例１の鞄装飾用アクセサリ１は、鞄に吊り下げて鞄を装飾することを主な目的にしているが、これには限られず、携帯電話、スマートフォンなどに吊り下げて、携帯電話、スマートフォンなどを装飾することもできる。
【００４１】
係合部材６は、図６(ｃ)、および、(ｄ)に示す特定係合部材７でもよい。
特定吊り下げ部材７は、図６(ｃ)、および、(ｄ)に示すように、特定係合部材本体部７ａ、可動部材７ｂ、および、スプリング７ｃで構成される。
可動部材７ｂは、図６(ｃ)、および、(ｄ)に示すように、取って部分７ｂ１を有する。
【００４２】
図６(ｆ)から(ｈ)に示すように、取って部分７ｂ１に、スプリング７ｃがある方向に力を加えると、図６(ｆ)、および、(ｇ)に示すように、特定係合部材本体部７ａと可動部材７ｂとの間には、空間ｓが生じる。
【００４３】
実施例１の鞄装飾用アクセサリ１を特定係合部材７を用いて、鞄５に吊り下げる方法について説明する。
取って部分７ｂ１に、スプリング７ｃがある方向に力を加えることによって生じた空間ｓに、図６(ｉ)に示すように、嵌入部材４、および、バックル５ａを挿入した後に、取って部分７ｂ１に、スプリング７ｃがある方向に力を加えることをやめると、図６(ｊ)に示すように、空間ｓは消滅する。
嵌入部材４、および、バックル５ａを特定係合部材７に挿入した後に、空間ｓが消滅すると、嵌入部材４はバックル５ａに係合されるので、実施例１の鞄装飾用アクセサリ１は鞄５に吊り下げられる。
【００４４】
実施例１のかばん装飾用アクセサリ１の他の実施態様について説明する。
【００４５】
実施例１のかばん装飾用アクセサリ１は、同一の種類の物品の形状を有する部材を複数組み合わせた鞄装飾用アクセサリ、あるいは、異なる種類の物品の形状を有する部材を複数組み合わせた鞄装飾用アクセサリであってもよい。
【００４６】
実施例１のかばん装飾用アクセサリ１が、同一の種類の物品の形状を有する部材を複数組み合わせた鞄装飾用アクセサリである際には、第一部材２、および、第二部材３は、それぞれが、同一の種類の物品の形状を有する。
実施例１のかばん装飾用アクセサリ１が、同一の種類の物品の形状を有する部材を複数組み合わせた鞄装飾用アクセサリである際に、実施例１の鞄装飾用アクセサリ１を鞄５に吊り下げて、鞄５を動かすと、第一部材２、および、第二部材３は、それぞれが動くので、同一の種類の物品の形状を有する部材が、それぞれ動いているように見せることができる。
【００４７】
同一の種類の物品の形状を有する部材を複数組み合わせた鞄装飾用アクセサリには、第一部材２、および、第二部材３は、それぞれが、ハイヒールの形状を有している鞄装飾用アクセサリなどがある。
ただし、実施例１のかばん装飾用アクセサリ１が、同一の種類の物品の形状を有する部材を複数組み合わせた鞄装飾用アクセサリである際には、第一部材２、および、第二部材３の形状は、ハイヒールの形状には限られず、ありとあらゆる形状がある。
【００４８】
実施例１のかばん装飾用アクセサリ１が、同一の種類の物品の形状を有する部材を複数組み合わせた鞄装飾用アクセサリである際には、第一部材２、および、第二部材３は、それぞれが、異なる種類の物品の形状を有する。
実施例１のかばん装飾用アクセサリ１が、同一の種類の物品の形状を有する部材を複数組み合わせた鞄装飾用アクセサリである際に、実施例１の鞄装飾用アクセサリ１を鞄５に吊り下げて、鞄５を動かすと、第一部材２、および、第二部材３は、それぞれが動くので、異なる種類の物品の形状を有する部材が、それぞれ動いているように見せることができる。
【００４９】
異なる種類の物品の形状を有する部材を複数組み合わせた鞄装飾用アクセサリには、第一部材２はハイヒールの形状を有しており、第二部材３はハンドバッグの形状を有している鞄装飾用アクセサリなどがある。
ただし、実施例１のかばん装飾用アクセサリ１が、異なる種類の物品の形状を有する部材を複数組み合わせた鞄装飾用アクセサリである際には、第一部材２の形状は、ハイヒール、の形状には限られず、第二部材３の形状は、ハンドバッグの形状には限られず、第一部材２、および、第二部材３の形状には、ありとあらゆる形状がある。
【実施例２】
【００５０】
実施例２の鞄装飾用アクセサリ１は、実施例１の鞄装飾用アクセサリ１の変形例である。
【００５１】
実施例１の鞄装飾用アクセサリ１は、図１(ａ)、および、(ｂ)、図２(ａ)から(ｄ)、図３(ａ)から(ｆ)、図４(ａ)から(ｆ)に示すように、第一孔部重心線ｈｇｌ１は、第一重心線ｇｌ１と交差しており、第二孔部重心線ｈｇｌ２は、第二部材３の重心線である第二重心線ｇｌ２と交差している。
これに対して、実施例２の鞄装飾用アクセサリ１は、図７(ａ)、および、(ｂ)、図８(ａ)から(ｄ)、図９(ａ)から(ｆ)、図１０(ａ)から(ｆ)に示すように、第一孔部重心線ｈｇｌ１は、第一重心線ｇｌ１と交差してはおらず、第二孔部重心線ｈｇｌ２は、第二部材３の重心線である第二重心線ｇｌ２と交差してはいない。
【００５２】
第一孔部重心線ｈｇｌ１は、第一重心線ｇｌ１とは交差してはいないことについて説明する。
【００５３】
図７(ａ)、および、(ｂ)、図９(ａ)、および、(ｂ)では、第一部材第一表面部２ａに設けられた開口部ｏｄの重心点ｃｇは、第一部材第一表面部２ａを正面方向から見た際には、第一重心線ｇｌ１から左方向の第一部材第一表面部２ａ上の位置に位置しており、第一部材第二表面部２ｂに設けられた開口部ｏｄの重心点ｃｇは、第一部材第二表面部２ｂを正面方向から見た際には、第一重心線ｇｌ１から右方向の第一部材第二表面部２ｂ上の位置に位置している。
第一孔部重心線ｈｇｌ１は、第一部材２を上方向から見た際には、図８(ｃ)、および、(ｄ)、図９(ｅ)、および、(ｆ)に示すように、第一重心点ｇｌｐ１の左側の位置に位置しているので、第一孔部重心線ｈｇｌ１は、上方向から見た際には、第一重心線ｇｌ１の左側の位置に位置している。
このため、第一孔部重心線ｈｇｌ１は、第一重心線ｇｌ１とは交差してはいない。
【００５４】
ここで、図８(ａ)、および、(ｂ)、図９(ｃ)、および、(ｄ)では、第一孔部重心線ｈｇｌ１は、第一重心線ｇｌ１と交差しているようにも見えるが、図８(ｃ)、および、(ｄ)、図９(ｅ)、および、(ｆ)に示すように、第一孔部重心線ｈｇｌ１は、第一重心点ｇｌｐ１の左側の位置に位置しているために、第一重心線ｇｌ１の左側の位置に位置しているので、第一重心線ｇｌ１とは交差してはいない。
【００５５】
第二孔部重心線ｈｇｌ２は、第二重心線ｇｌ２とは交差してはいないことについて説明する。
【００５６】
図７(ａ)、および、(ｂ)、図９(ａ)、および、(ｂ)では、第二部材第一表面部３ａに設けられた開口部ｏｄの重心点ｃｇは、第二部材第一表面部３ａを正面方向から見た際には、第二重心線ｇｌ２から右方向の第二部材第一表面部３ａ上の位置に位置しており、第二部材第二表面部３ｂに設けられた開口部ｏｄの重心点ｃｇは、第二部材第二表面部３ｂを正面方向から見た際には、第二重心線ｇｌ２から左方向の第二部材第二表面部３ｂ上の位置に位置している。
第二孔部重心線ｈｇｌ２は、第二部材３を上方向から見た際には、図７(ａ)、および、(ｂ)、図１０(ｅ)、および、(ｆ)に示すように、第二重心点ｇｌｐ２の右側の位置に位置しているので、第二孔部重心線ｈｇｌ２は、第二部材３を上方向から見た際には、第二重心線ｇｌ２の右側の位置に位置している。
このため、第二孔部重心線ｈｇｌ２は、第二重心線ｇｌ２とは交差してはいない。
【００５７】
ここで、図８(ａ)、および、(ｂ)、図１０(ｃ)、および、(ｄ)では、第二孔部重心線ｈｇｌ２は、第二重心線ｇｌ２と交差しているようにも見えるが、図８(ｃ)、および、(ｄ)、図１０(ｅ)、および、(ｆ)に示すように、第二孔部重心線ｈｇｌ２は、第二重心点ｇｌｐ２の左側の位置に位置しているために、第二重心線ｇｌ２の右側の位置に位置しているので、第二重心線ｇｌ２とは交差してはいない。
【００５８】
図７(ａ)、および、(ｂ)、図８(ａ)から(ｄ)、図９(ａ)から(ｆ)では、第一孔部重心線ｈｇｌ１は、第一部材２を上方向から見た際には、第一重心線ｇｌ１の左側の位置に位置しているが、第一孔部重心線ｈｇｌ１は、第一部材２を上方向から見た際には、第一重心線ｇｌ１の右側の位置に位置していてもよい。
第一孔部重心線ｈｇｌ１は、第一部材２を上方向から見た際には、第一重心線ｇｌ１の右側の位置に位置する際には、第一部材第一表面部２ａに設けられた開口部ｏｄの重心点ｃｇは、第一部材第一表面部２ａを正面方向から見た際には、第一重心線ｇｌ１から右方向の第一部材第一表面部２ａ上の位置に位置し、第一部材第二表面部２ｂに設けられた開口部ｏｄの重心点ｃｇは、第一部材第二表面部２ｂを正面方向から見た際には、第一重心線ｇｌ１から左方向の第一部材第二表面部２ｂ上の位置に位置する。
【００５９】
図７(ａ)、および、(ｂ)、図８(ａ)から(ｄ)、図１０(ａ)から(ｆ)では、第二孔部重心線ｈｇｌ２は、第二部材３を上方向から見た際には、第二重心線ｇｌ２の右側の位置に位置しているが、第二孔部重心線ｈｇｌ２は、第二部材３を上方向から見た際には、第二重心線ｇｌ２の左側の位置に位置していてもよい。
第二孔部重心線ｈｇｌ２は、第二部材３を上方向から見た際には、第二重心線ｇｌ２の左側の位置に位置する際には、第二部材第一表面部３ａに設けられた開口部ｏｄの重心点ｃｇは、第二部材第一表面部３ａを正面方向から見た際には、第二重心線ｇｌ２から左方向の第二部材第一表面部３ａ上の位置に位置し、第一部材第二表面部２ｂに設けられた開口部ｏｄの重心点ｃｇは、第二部材第二表面部３ｂを正面方向から見た際には、第二重心線ｇｌ２から右方向の第二部材第二表面部３ｂ上の位置に位置する。
【００６０】
第一孔部重心線ｈｇｌ１は、図７(ａ)、および、(ｂ)、図８(ａ)から(ｄ)、図９(ａ)から(ｆ)に示すように、第一部材２を上方向から見た際には、第一重心線ｇｌ１の左側の位置に位置しており、第二孔部重心線ｈｇｌ２は、第二部材３を上方向から見た際には、第二重心線ｇｌ２の左側の位置に位置していてもよい。
第一孔部重心線ｈｇｌ１は、第一部材２を上方向から見た際には、第一重心線ｇｌ１の右側の位置に位置しており、第二孔部重心線ｈｇｌ２は、図７(ａ)、および、(ｂ)、図８(ａ)から(ｄ)、図１０(ａ)から(ｆ)に示すように、第二部材３を上方向から見た際には、第二重心線ｇｌ２の右側の位置に位置していてもよい。
第一孔部重心線ｈｇｌ１は、第一部材２を上方向から見た際には、第一重心線ｇｌ１の右側の位置に位置しており、第二孔部重心線ｈｇｌ２は、第二部材３を上方向から見た際には、第二重心線ｇｌ２の左側の位置に位置していてもよい。
【００６１】
実施例２の鞄装飾用アクセサリ１を鞄５に吊り下げた状態について説明する。
嵌入部材４は、第一部材２、および、第二部材３が回転可能なように、第一孔部ｈｄ１、および、第二孔部ｈｄ２に嵌入しているので、嵌入部材４は、第一部材２、および、第二部材３の回転軸になる。
実施例２の鞄装飾用アクセサリ１では、第一孔部重心線ｈｇｌ１は、第一重心線ｇｌ１とは交差してはおらず、第二孔部重心線ｈｇｌ２は、第二重心線ｇｌ２とは交差してはいない。
このため、実施例２の鞄装飾用アクセサリ１を鞄５に吊り下げると、図１１(ａ)に示すように、鞄５を動かさなくても、第一部材２、および、第二部材３は、重心のバランスを取るために、嵌入部材４を回転軸にして回転して傾く。
【００６２】
これらより、実施例１の鞄装飾用アクセサリ１を鞄５に吊り下げた際には、図６(ａ)に示すように、第一部材２、および、第二部材３は、傾かないが、実施例２の鞄装飾用アクセサリ１を鞄５に吊り下げた際には、図１１(ａ)に示すように、第一部材２、および、第二部材３は、嵌入部材４を回転軸にして回転して、それぞれが傾くので、実施例２の鞄装飾用アクセサリ１を鞄５に吊り下げた際には、実施例１の鞄装飾用アクセサリ１を鞄５に吊り下げた際よりもおもしろい姿勢をさせることができる。
【００６３】
図１１(ａ)には、犬の全体の形状を有する実施例２の鞄装飾用アクセサリ１を鞄５に吊り下げた際に、犬の顔の形状を有する第一部材２、および、犬の胴体の形状を有する第二部材３は、嵌入部材４を回転軸にして回転して、それぞれが傾くことによって、犬が首を傾げているような姿勢をしている状態が示されている。
図１１(ａ)に示された状態から見ても、実施例２の鞄装飾用アクセサリ１を鞄５に吊り下げた際には、図６(ａ)に示すように、犬の顔の形状を有する第一部材２、および、犬の胴体の形状を有する第二部材３が傾かない実施例１の鞄装飾用アクセサリ１を鞄５に吊り下げた際よりも、よりおもしろい姿勢をさせることができることが分かる。
【００６４】
実施例２の鞄装飾用アクセサリ１を鞄５に吊り下げて、鞄５を動かした状態について説明する。
実施例２のかばん装飾用アクセサリ１が鞄５に吊り下げて、鞄５を動かした際には、第一部材２、および、第二部材３は、嵌入部材４を回転軸にして回転して傾いた状態からさらに左右に動く。
【００６５】
このため、実施例２のかばん装飾用アクセサリ１が鞄５に吊り下げて、鞄５を動かした際には、図１１(ａ)に示すように、第一部材２、および、第二部材３を左右に大きく動かすことができる。
【００６６】
図１１(ｂ)には、犬の全体の形状を有する実施例２の鞄装飾用アクセサリ１を鞄５に吊り下げて、鞄５を動かした際には、犬の顔の形状を有する第一部材２、および、犬の胴体の形状を有する第二部材３は、それぞれが左右に大きく動いている状態が示されている。
図１１(ｂ)に示された状態から見ても、実施例２の鞄装飾用アクセサリ１を鞄５に吊り下げて、鞄５を動かした際には、図６(ｂ)に示すように、犬の顔の形状を有する第一部材２、および、犬の胴体の形状を有する第二部材３が左右に大きく動かない実施例１の鞄装飾用アクセサリ１を鞄５に吊り下げて、鞄５を動かした際よりも、よりおもしろい動きをさせることができることが分かる。
【００６７】
実施例２のかばん装飾用アクセサリ１の他の実施態様について説明する。
【００６８】
実施例１のかばん装飾用アクセサリ１が、同一の種類の物品の形状を有する部材を複数組み合わせた鞄装飾用アクセサリである際には、同一の種類の物品の形状を有する第一部材２、および、第二部材３は、嵌入部材４を回転軸にして回転して、それぞれが傾く。
このため、第一部材２、および、第二部材３は、それぞれが、ハイヒールの形状を有している際には、ハイヒールの形状を有している第一部材２、および、第二部材３は、嵌入部材４を回転軸にして回転して、それぞれが傾く。
【００６９】
実施例１のかばん装飾用アクセサリ１が、異なる種類の物品の形状を有する部材を複数組み合わせた鞄装飾用アクセサリである際には、異なる種類の物品の形状を有する第一部材２、および、第二部材３は、嵌入部材４を回転軸にして回転して、それぞれが傾く。
このため、第一部材２はハイヒールの形状を有しており、第二部材３はハンドバッグの形状を有している際には、ハイヒールの形状を有している第一部材２、および、ハンドバッグの形状を有している第二部材３は、嵌入部材４を回転軸にして回転して、それぞれが傾く。
【実施例３】
【００７０】
実施例３の鞄装飾用アクセサリ１は、実施例１の鞄装飾用アクセサリ１、および、実施例２の鞄装飾用アクセサリ１の変形例である。
【００７１】
実施例１の鞄装飾用アクセサリ１は、第一孔部重心線ｈｇｌ１は、第一重心線ｇｌ１と交差しており、第二孔部重心線ｈｇｌ２は、第二重心線ｇｌ２と交差している。
実施例２の鞄装飾用アクセサリ１は、第一孔部重心線ｈｇｌ１は、第一重心線ｇｌ１と交差してはおらず、第二孔部重心線ｈｇｌ２は、第二重心線ｇｌ２と交差してはいない。
これに対して、実施例３の鞄装飾用アクセサリ１は、第一孔部重心線ｈｇｌ１は、第一重心線ｇｌ１と交差している際には、第二孔部重心線ｈｇｌ２は、第二重心線ｇｌ２と交差してはおらず、第一孔部重心線ｈｇｌ１は、第一重心線ｇｌ１と交差していない際には、第二孔部重心線ｈｇｌ２は、第二重心線ｇｌ２と交差している。
【００７２】
実施例３の鞄装飾用アクセサリ１は、第一部材２が、図９(ａ)から(ｂ)に示す第一部材２である際には、第二部材３は、図４(ａ)から(ｂ)に示す第二部材３であり、第一部材２が、図３(ａ)から(ｂ)に示す第一部材２である際には、第二部材３は、図１０(ａ)から(ｂ)に示す第二部材３である。
【００７３】
実施例３の鞄装飾用アクセサリ１を鞄５に吊り下げた状態について説明する。
実施例３の鞄装飾用アクセサリ１の第一部材２は、図９(ａ)から(ｂ)に示す第一部材２であり、第二部材３は、図４(ａ)から(ｂ)に示す第二部材３である際に、実施例３の鞄装飾用アクセサリ１を鞄５に吊り下げると、第一部材２のみが嵌入部材４を回転軸にして回転して傾く。
実施例３の鞄装飾用アクセサリ１の第一部材２は、図３(ａ)から(ｂ)に示す第一部材２である際には、第二部材３は、図１０(ａ)から(ｂ)に示す第二部材３である際に、実施例３の鞄装飾用アクセサリ１を鞄５に吊り下げると、第二部材３のみが嵌入部材４を回転軸にして回転して傾く。
【００７４】
図１２(ａ)には、犬の全体の形状を有する実施例３の鞄装飾用アクセサリ１を鞄５に吊り下げた際に、犬の顔の形状を有する第一部材２のみが傾いている状況が示されている。
図１２(ｂ)には、犬の全体の形状を有する実施例３の鞄装飾用アクセサリ１を鞄５に吊り下げた際に、犬の胴体の形状を有する第二部材３のみが傾いている状況が示されている。
図１２(ａ)、および、(ｂ)に示された状況から見ても、実施例３の鞄装飾用アクセサリ１を鞄５に吊り下げた際には、図６(ａ)に示す犬の全体の形状を有する実施例１の鞄装飾用アクセサリ１、または、図１１(ａ)に示す犬の全体の形状を有する実施例２の鞄装飾用アクセサリ１を鞄５に吊り下げた際とは、異なる姿勢をさせることができることが分かる。
【００７５】
実施例３の鞄装飾用アクセサリ１を鞄５に吊り下げて、鞄５を動かした状態について説明する。
実施例３の鞄装飾用アクセサリ１の第一部材２は、図９(ａ)から(ｂ)に示す第一部材２であり、第二部材３は、図４(ａ)から(ｂ)に示す第二部材３である際に、実施例３の鞄装飾用アクセサリ１を鞄５に吊り下げると、第一部材２のみが嵌入部材４を回転軸にして左右に大きく動き、第二部材３は左右に大きく動かない。
実施例３の鞄装飾用アクセサリ１の第一部材２は、図３(ａ)から(ｂ)に示す第一部材２である際には、第二部材３は、図１０(ａ)から(ｂ)に示す第二部材３である際に、実施例３の鞄装飾用アクセサリ１を鞄５に吊り下げると、第二部材３のみが嵌入部材４を回転軸にして左右に大きく動き、第一部材２は左右に大きく動かない。
【００７６】
図１３(ａ)には、犬の全体の形状を有する実施例３の鞄装飾用アクセサリ１を鞄５に吊り下げて、鞄５を動かした際に、犬の顔の形状を有する第一部材２のみが嵌入部材４を回転軸にして左右に大きく動き、犬の胴体の形状を有する第二部材３は左右に大きく動かない状況が示されている。
(図１３(ｂ)には、犬の全体の形状を有する実施例３の鞄装飾用アクセサリ１を鞄５に吊り下げた際に、犬の胴体の形状を有する第二部材３のみが嵌入部材４を回転軸にして左右に大きく動き、犬の顔の形状を有する第一部材２は左右に大きく動かない状況が示されている。
図１３(ａ)、および、(ｂ)に示された状況から見ても、実施例３の鞄装飾用アクセサリ１を鞄５に吊り下げた際には、図６(ａ)に示す犬の全体の形状を有する実施例１の鞄装飾用アクセサリ１、図１１(ａ)に示す犬の全体の形状を有する実施例２の鞄装飾用アクセサリ１を鞄５に吊り下げた際とは、異なる動きをさせることができることが分かる。
【図面の簡単な説明】
【００７７】
【図１】(ａ) 実施例１の鞄装飾用アクセサリ１の正面図である。(ｂ) 実施例１の鞄装飾用アクセサリ１の背面図である。
【図２】(ａ) 実施例１の鞄装飾用アクセサリ１の右側面図である。(ｂ) 実施例１の鞄装飾用アクセサリ１の左側面図である。(ｃ) 実施例１の鞄装飾用アクセサリ１の上面図である。(ｄ) 実施例１の鞄装飾用アクセサリ１の底面図である。
【図３】(ａ) 実施例１の鞄装飾用アクセサリ１の第一部材２の正面図である。(ｂ) 実施例１の鞄装飾用アクセサリ１の第一部材２の背面図である。(ｃ) 実施例１の鞄装飾用アクセサリ１の第一部材２の右側面図である。(ｄ) 実施例１の鞄装飾用アクセサリ１の第一部材２の左側面図である。(ｅ) 実施例１の鞄装飾用アクセサリ１の第一部材２の上面図である。(ｆ) 実施例１の鞄装飾用アクセサリ１の第一部材２の底面図である。
【図４】(ａ) 実施例１の鞄装飾用アクセサリ１の第二部材３の正面図である。(ｂ) 実施例１の鞄装飾用アクセサリ１の第二部材３の背面図である。(ｃ) 実施例１の鞄装飾用アクセサリ１の第二部材３の右側面図である。(ｄ) 実施例１の鞄装飾用アクセサリ１の第二部材３の左側面図である。(ｅ) 実施例１の鞄装飾用アクセサリ１の第二部材３の上面図である。(ｆ) 実施例１の鞄装飾用アクセサリ１の第二部材３の底面図である。
【図５】(ａ) 実施例１の鞄装飾用アクセサリ１の嵌入部材４の正面図である。(ｂ) 実施例１の鞄装飾用アクセサリ１の嵌入部材４の背面図である。(ｃ) 実施例１の鞄装飾用アクセサリ１の嵌入部材４の右側面図である。(ｄ) 実施例１の鞄装飾用アクセサリ１の嵌入部材４の左側面図である。(ｅ) 実施例１の鞄装飾用アクセサリ１の嵌入部材４の上面図である。(ｆ) 実施例１の鞄装飾用アクセサリ１の嵌入部材４の底面図である。(ｇ) 実施例１の鞄装飾用アクセサリ１の嵌入部材４に力Ｆを加えている図である。(ｈ) 実施例１の鞄装飾用アクセサリ１の嵌入部材４の切り欠き部４ｂを小さくした状態を示す図である。(ｉ) 実施例１の鞄装飾用アクセサリ１の嵌入部材４の切り欠き部４ｂが消滅した状態を示す図である。(ｊ) 実施例１の鞄装飾用アクセサリ１の嵌入部材４の切り欠き部４ｂに硬化性物質ｍを流し込んだ状態を示す図である。
【図６】(ａ) 実施例１の鞄装飾用アクセサリ１を鞄５に吊り下げた状態を示す図である。(ｂ) 実施例１の鞄装飾用アクセサリ１を鞄５に吊り下げて、鞄５を動かした状態を示す図である。(ｃ) 特定係合部材７を示す図である。(ｄ)(ｃ)の拡大図である。(ｅ) 取って部分７ｂ１とその近傍の一部拡大図である。(ｆ) 特定係合部材７に空間ｓが生じた状態を示す図である。(ｇ)(ｆ)の拡大図である。(ｈ) 取って部分７ｂ１とその近傍の一部拡大図である。(ｉ) 特定係合部材７に嵌入部材４、および、バックル５ａが挿入された状態を示す図である。(ｆ) 特定係合部材７の空間ｓが消滅した状態を示す図である。
【図７】(ａ) 実施例２の鞄装飾用アクセサリ１の正面図である。(ｂ) 実施例２の鞄装飾用アクセサリ１の背面図である。
【図８】(ａ) 実施例２の鞄装飾用アクセサリ１の右側面図である。(ｂ) 実施例２の鞄装飾用アクセサリ１の左側面図である。(ｃ) 実施例２の鞄装飾用アクセサリ１の上面図である。(ｄ) 実施例２の鞄装飾用アクセサリ１の底面図である。
【図９】(ａ) 実施例２の鞄装飾用アクセサリ１の第一部材２の正面図である。(ｂ) 実施例２の鞄装飾用アクセサリ１の第一部材２の背面図である。(ｃ) 実施例２の鞄装飾用アクセサリ１の第一部材２の右側面図である。(ｄ) 実施例１の鞄装飾用アクセサリ１の第一部材２の左側面図である。(ｅ) 実施例２の鞄装飾用アクセサリ１の第一部材２の上面図である。(ｆ) 実施例２の鞄装飾用アクセサリ１の第一部材２の底面図である。
【図１０】(ａ) 実施例２の鞄装飾用アクセサリ１の第二部材３の正面図である。(ｂ) 実施例２の鞄装飾用アクセサリ１の第二部材３の背面図である。(ｃ) 実施例２の鞄装飾用アクセサリ１の第二部材３の右側面図である。(ｄ) 実施例２の鞄装飾用アクセサリ１の第二部材３の左側面図である。(ｅ) 実施例２の鞄装飾用アクセサリ１の第二部材３の上面図である。(ｆ) 実施例２の鞄装飾用アクセサリ１の第二部材３の底面図である。
【図１１】(ａ) 実施例２の鞄装飾用アクセサリ１を鞄５に吊り下げた状態を示す図である。(ｂ) 実施例２の鞄装飾用アクセサリ１を鞄５に吊り下げて、鞄５を動かした状態を示す図である。
【図１２】(ａ) 実施例３の鞄装飾用アクセサリ１を鞄５に吊り下げた状態を示す図である。(ｂ) 実施例３の鞄装飾用アクセサリ１を鞄５に吊り下げた状態を示す図である。
【図１３】(ａ) 実施例３の鞄装飾用アクセサリ１を鞄５に吊り下げて、鞄５を動かした状態を示す図である。(ｂ) 実施例３の鞄装飾用アクセサリ１を鞄５に吊り下げて、鞄５を動かした状態を示す図である。
【符号の説明】
【００７８】
１          鞄装飾用アクセサリ
２          第一部材
２ａ        第一部材第一表面部
２ｂ        第一部材第二表面部
２ｃ        第一部材側面部
ｏｄ        開口部
ｃｇ        重心点
ｈｇｌ１    第一孔部重心線
ｇｌ１      第一重心線
３          第二部材
３ａ        第二部材第一表面部
３ｂ        第二部材第二表面部
３ｃ        第二部材側面部
ｈｇｌ２    第二孔部重心線
ｇｌ２      第二重心線
５          鞄
５ａ        バックル
６          係合部材
７          特定係合部材
７ａ        特定係合部材本体部
７ｂ        可動部材
７ｂ１      取って部分
７ｃ        スプリング
【図１】
2019072525.tif 000003
【図２】
2019072525.tif 000004
【図３】
2019072525.tif 000005
【図４】
2019072525.tif 000006
【図５】
2019072525.tif 000007
【図６】
2019072525.tif 000008
【図７】
2019072525.tif 000009
【図８】
2019072525.tif 000010
【図９】
2019072525.tif 000011
【図１０】
2019072525.tif 000012
【図１１】
2019072525.tif 000013
【図１２】
2019072525.tif 000014
【図１３】
2019072525.tif 000015